(57)【要約】【課題】小型カード用コネクタにおいて、カードを真上から挿入できるようにして、カードの挿入／取出し操作を容易とする。【解決手段】コネクタは、カード４０の電極４１が接続される端子１１を備えたボディブロック１０と、その上をカード及びカードクランプ３０をスライド可能とする中間スライダー２０と、中間スライダー２０上をスライド可能なカードクランプ３０と、カバーシェル５０とを備え、カードクランプ３０は、カード挿入準備時に、手前に略カードの長さ分引き出され、そのとき、中間スライダー２０がボディブロック１０からカードクランプ長さの一部長さだけ引き出され、カードクランプ３０は、その真上からカード４０を挿入可能な位置となる。これにより、カード４０をカードクランプ３０の真上から挿入することができ、カード４０の挿入／取出し操作が容易となる。【選択図】図１
2006269376.tif 000002
【特許請求の範囲】
【請求項１】
小型カードの複数の電極がそれぞれ接続される複数の端子を備えたボディブロックと、
上記ボディブロック上を、カード及び後記カードクランプをスライド可能とする中間ス
ライダーと、
カードの収納案内枠を備え、かつ、上記ボディブロック及び中間スライダー上をスライ
ド可能なカードクランプと、
上記カードクランプと中間スライダーを保持すると共に、カードの浮きを防止する押さ
えを兼ねたカバーシェルと、を備えた小型カード用コネクタにおいて、
上記カードクランプは、カード無しの状態では、上記ボディブロックとカバーシェルの
内部に上記中間スライダーと共に収納され、
カード挿入準備時は、上記カードクランプが手前に略カードの長さ分引き出され、その
とき、上記中間スライダーは上記カードクランプと共に上記ボディブロックからカードク
ランプ長さの一部長さ分引き出され、上記カードクランプは、カードを該カードクランプ
内にその真上から挿入可能な位置となり、
上記カードクランプをカードとともに上記ボディブロック内に、該カードクランプが上
記ボディブロック又はカバーシェルのストッパーに当接するまで押込まれる時、上記中間
スライダーは上記カードクランプに係合して連動して上記ボディブロック内に押込まれ、
カード取出時は、カードが真上から見える位置まで上記カードクランプを手前に引き出
し可能とされていることを特徴とする小型カード用コネクタ。
【請求項２】
上記カードクランプは、その真上からカードを挿入できる位置まで引き出し可能とする
ために中間スライダーを具備し、その中間スライダーがカードクランプのフルストローク
の略２／３だけ可動できるようにしたことを特徴とする請求項１記載の小型カード用コネ
クタ。
【請求項３】
上記中間スライダーは、上記ボディブロックの内側面とスライド可能であり、かつ、上
記カードクランプの外側面及び下面とスライド可能としたことを特徴とする請求項１記載
の小型カード用コネクタ。
【請求項４】
上記中間スライダーがカード長さの略２／３可動自在とするために、上記ボディブロッ
ク側面に凹部を、中間スライダーに凸部をそれぞれ設け、該スライダーの前進後退のスト
ッパーとしたことを特徴とする請求項１記載の小型カード用コネクタ。
【請求項５】
上記中間スライダーは、上記カードクランプが全部引き出された時にカードクランプが
外れないようにするための案内溝を備え、
上記カードクランプは、上記案内溝に係合するストッパー用突起を備えたことを特徴と
する請求項１記載の小型カード用コネクタ。
【請求項６】
上記カードクランプは、それが全部引き出された時に上記カバーシェルに当たって倒れ
ないようにするための倒れ防止用爪を備えたことを特徴とする請求項１記載の小型カード
用コネクタ。
【請求項７】
上記カードクランプは、該クランプに挿入されたカードを所定のクランプ位置に移動で
きるようにカード外周を略囲む枠形状とされ、かつ、カードの逆挿入防止の面取り形状を
備えたことを特徴とする請求項１記載の小型カード用コネクタ。
【請求項８】
上記中間スライダー及びカードクランプは、前後に移動する時、上記端子に接触しない
ようにするための端子逃がし部を備えたことを特徴とする請求項１記載の小型カード用コ
ネクタ。
【請求項９】
上記カバーシェルは、上記カードクランプが不要に移動しないようにするための弾性突
起を備え、
上記カードクランプは、上記弾性突起が係合し得る凹部を備えたことを特徴とする請求
項１記載の小型カード用コネクタ。
【請求項１０】
上記カバーシェルは、上記カードクランプを引き出すための引き出し爪付近に逃がしを
備えたことを特徴とする請求項１記載の小型カード用コネクタ。
【発明の詳細な説明】
【技術分野】
【０００１】
本発明は、小型カード（例えば、ｍｉｎｉ−ＵＩＣＣ等、以下、単にカードという）の
ためのコネクタに関する。
【背景技術】
【０００２】
この種の小型カード用コネクタとして、携帯電話等に使用されるＳＩＭカードを挿入・
取出しのためにスライダーを用いたものが知られている（例えば、特許文献１参照）。
【０００３】
ところが、従来の小型カード用コネクタは、カードを真上から挿入できないため、操作
がやりにくく、カードがより小型になると、カードの裏面にある電極がコネクタの端子に
近接するので、不用意に接触したりして、端子が変形する虞があった。
【特許文献１】特開２０００−３５７２１０号公報
【発明の開示】
【発明が解決しようとする課題】
【０００４】
本発明は、上記問題を解消するものであり、カードを真上から挿入できるようにして、
カードの挿入／取出し操作が容易となり、また、カードが端子に不用意に接触して端子を
変形させるようなことのない小型カード用コネクタを提供することを目的とする。
【課題を解決するための手段】
【０００５】
本発明は、小型カードの複数の電極がそれぞれ接続される複数の端子を備えたボディブ
ロックと、上記ボディブロック上を、カード及び後記カードクランプをスライド可能とす
る中間スライダーと、カードの収納案内枠を備え、かつ、上記ボディブロック及び中間ス
ライダー上をスライド可能なカードクランプと、上記カードクランプと中間スライダーを
保持すると共に、カードの浮きを防止する押さえを兼ねたカバーシェルと、を備えた小型
カード用コネクタにおいて、上記カードクランプは、カード無しの状態では、上記ボディ
ブロックとカバーシェルの内部に上記中間スライダーと共に収納され、カード挿入準備時
は、上記カードクランプが手前に略カードの長さ分引き出され、そのとき、上記中間スラ
イダーは上記カードクランプと共に上記ボディブロックからカードクランプ長さの一部長
さ分引き出され、上記カードクランプは、カードを該カードクランプ内にその真上から挿
入可能な位置となり、上記カードクランプをカードとともに上記ボディブロック内に、該
カードクランプが上記ボディブロック又はカバーシェルのストッパーに当接するまで押込
まれる時、上記中間スライダーは上記カードクランプに係合して連動して上記ボディブロ
ック内に押込まれ、カード取出時は、カードが真上から見える位置まで上記カードクラン
プを手前に引き出し可能とされているものである。
【０００６】
上記カードクランプは、その真上からカードを挿入できる位置まで引き出し可能とする
ために中間スライダーを具備し、その中間スライダーがカードクランプのフルストローク
の略２／３だけ可動できるようにすればよい。
【０００７】
上記中間スライダーは、上記ボディブロックの内側面とスライド可能であり、かつ、上
記カードクランプの外側面及び下面とスライド可能とすればよい。
【０００８】
上記中間スライダーがカード長さの略２／３可動自在とするために、上記ボディブロッ
ク側面に凹部を、中間スライダーに凸部をそれぞれ設け、該スライダーの前進後退のスト
ッパーとすればよい。
【０００９】
上記中間スライダーは、上記カードクランプが全部引き出された時にカードクランプが
外れないようにするための案内溝を備え、上記カードクランプは、上記案内溝に係合する
ストッパー用突起を備えたものとすればよい。
【００１０】
上記カードクランプは、それが全部引き出された時に上記カバーシェルに当たって倒れ
ないようにするための倒れ防止用爪を備えたものとすればよい。
【００１１】
上記カードクランプは、該クランプに挿入されたカードを所定のクランプ位置に移動で
きるようにカード外周を略囲む枠形状とされ、かつ、カードの逆挿入防止の面取り形状を
備えたものとすればよい。
【００１２】
上記中間スライダー及びカードクランプは、前後に移動する時、上記端子に接触しない
ようにするための端子逃がし部を備えたものとすればよい。
【００１３】
上記カバーシェルは、上記カードクランプが不要に移動しないようにするための弾性突
起を備え、上記カードクランプは、上記弾性突起が係合し得る凹部を備えたものとすれば
よい。
【００１４】
上記カバーシェルは、上記カードクランプを引き出すための引き出し爪付近に逃がしを
備えたものとすればよい。
【発明の効果】
【００１５】
本発明の小型カード用コネクタによれば、カードクランプを完全オープンに近い状態ま
で手前に引き出し可能であるので、カードをカードクランプの真上から挿入することがで
き、カードの挿入／取出し操作が容易となる。また、端子がコネクタの中に有って、カー
ド挿入時にカードクランプが壁になるので、カードが不用意に端子に接触して端子を変形
するようなことがなくなる。
【発明を実施するための最良の形態】
【００１６】
以下、本発明の一実施形態に係る小型カード用コネクタ（以下、コネクタという）につ
いて図１乃至図１６を参照して説明する。コネクタ１は、ボディブロック１０と、中間ス
ライダー２０と、小型カード４０（以下、カードという）を保持するカードクランプ３０
と、カバーシェル５０とを備える。中間スライダー２０及びカードクランプ３０は、ボデ
ィブロック１０とカバーシェル５０との間に納められる。
【００１７】
ボディブロック１０は、樹脂製であり、カード４０の複数の電極４１がそれぞれ接続さ
れる複数のバネ性を持つ端子１１を備える。各端子１１は、ボディブロック１０に所定の
配置で形成した凹部１２から後方先端が斜め上方に弾性をもって突出するように設けられ
ている。各端子１１は、図示しない基板の回路に接続するためのリード１３を持ち、この
リード１３は、ボディブロック１０の側端面に導出されている。ボディブロック１０は、
左右両側壁１４が一体に形成され、この両側壁１４の内面には、中間スライダー２０の移
動範囲を規定するストッパーとしての凹部１５が、外面にはカバーシェル５０と係合され
る保持手段としての凸部１６がそれぞれ形成されている。
【００１８】
中間スライダー２０は、ボディブロック１０上にその内側面とスライド可能に設けられ
、カードクランプ３０及びカード４０をスライド可能とする。中間スライダー２０は、カ
ード４０の長さの略２／３可動自在となるように構成されている。中間スライダー２０は
、カードクランプ３０の外側面及び下面ともスライド可能とされており、カードクランプ
３０を案内する案内溝２１と、開口窓から成る端子逃がし部２２と、ボディブロック１０
の凹部１５に嵌合され移動範囲を規定する凸部２３とを備える。端子逃がし部２２からは
端子１１が突出する。案内溝２１には、カードクランプ３０に設けたストッパー用突起３
１が係合することで、カードクランプ３０が全部引き出された時にカードクランプ３０が
外れないようにしている。
【００１９】
また、ボディブロック１０の側面に凹部１５を、中間スライダー２０に凸部２３をそれ
ぞれ設け、これらを、中間スライダー２０の前進後退のストッパーとしている。
【００２０】
カードクランプ３０は、挿入されたカードを所定のクランプ位置に移動できるようにカ
ード４０の外周を略囲む収納案内枠から成り、ボディブロック１０及び中間スライダー２
０上をスライド可能に設けられ、奥側の枠体には中間スライダー２０の案内溝２１に嵌合
され移動範囲を規定するストッパー用突起３１と、端子１１が当たるのを回避する端子逃
がし部３２と、カードクランプ３０が全部引き出されたときカバーシェル５０の内面に当
接して倒れ防止を図る倒れ防止爪３３が設けられている。
【００２１】
また、カードクランプ３０の右前端部には逆挿入防止用面取り３４と、引き出し爪３５
とが設けられている。カードクランプ３０後方寄りにはカバーシェル５０の弾性突起５１
が嵌合される凹部３６が設けられている。これにより、カードクランプ３０の抜け止めを
図っている。中間スライダー２０及びカードクランプ３０には、端子逃がし部２２，３２
がそれぞれ設けられている。これにより、中間スライダー２０及びカードクランプ３０が
前後に移動する時、端子１１に接触しないものとなる。
【００２２】
カード４０は、薄型略矩形状で、裏面に複数の電極４１が、手前一端側に逆挿入防止用
面取り４２が設けられている。
【００２３】
カバーシェル５０は、金属製で、後方寄りの弾性突起５１と、ボディブロック１０の凸
部１６が嵌合保持される保持手段としての開口窓５２と、引き出し爪３５を逃げる逃がし
５３とを備える。開口窓５２はカバーシェル５０の左右両側壁に設けられる。保持手段は
、カード電極４１の端子１１との接圧により持ち上がるのを防止し、かつ、カード４０の
浮きを防止する押さえを兼ねる。弾性突起５１は、カードクランプ３０の凹部３６に係合
することで、カードクランプ３０が不要に移動しないようにする。
【００２４】
上記のように構成されたコネクタ１において、カードクランプ３０は、カード無しの状
態では、図２、図３に示すように、ボディブロック１０とカバーシェル５０の内部に中間
スライダー２０と共に収納されている。カード挿入準備時は、カードクランプ３０が引き
出し爪３５を利用して手前に引き出す。このとき、カードクランプ３０のみが引き出され
中間スライダー２０は引き出されていない図４、図５、図６に示す状態を経て、カードク
ランプ３０が略カード４０の長さ分引き出されると、図８、図１２に示す状態になる。
【００２５】
このとき、中間スライダー２０はカードクランプ３０と共にボディブロック１０からカ
ードクランプ３０の長さの略２／３だけ引き出される。これにより、図９に示すように、
カードクランプ３０は、カード４０をカードクランプ３０内にその真上から挿入可能な位
置となる。カード４０を挿入した状態を図１０に示す（カード４０は破線で示す）。
【００２６】
上記図１０の状態から、カードクランプ３０がカード４０とともにボディブロック１０
内に押込まれると、中間スライダー２０はカードクランプ３０に係合して連動してボディ
ブロック１０内に押込まれる。このとき、カードクランプ３０は、その突起３１（ストッ
パー）がボディブロック１０の凹部１５の後壁（ストッパー）に当接するまで押し込まれ
る。カバーシェル５０にストッパー構成を設けてもよい。
【００２７】
カードクランプ３０がカード４０と共に押し込まれた状態を図１１、図１３乃至図１５
に示す。カード取出時は、再び、カード４０が真上から見える位置までカードクランプ３
０を、引き出し爪３５を利用して手前に引き出す。
【００２８】
上記のように本実施形態のコネクタ１においては、カードクランプ３０が、その真上か
らカード４０を挿入できる位置まで引き出し可能とするために中間スライダー２０を具備
し、その中間スライダー２０がカードクランプ３０のフルストロークの略２／３だけ可動
できるようにしている。そして、カード４０の挿入時に、その略２／３を中間スライダー
２０が受けるようにしているので、カード４０が落ちにくくなる。
【００２９】
また、カード取出し時に、カード４０の下部から端子１１により突き上げられるので、
カード４０を取出し易いものとなる。また、カバーシェル５０でコネクタ１全面を覆って
いることで、強度的に強くなり、しかも、カバーシェル５０が金属製でアース接続されれ
ば、耐静電気耐ノイズ性が良行となる。さらには、コネクタ１が小型薄型となり、手前側
でカード４０を挿入するので、コネクタ１が使用される機器の上方にオープンスペースが
不要となる効果がある。
【００３０】
本発明は、上記実施例の構成に限られることなく、発明の趣旨を変更しない範囲で種々
の変形が可能である。例えば、上記実施形態では、中間スライダー２０がカードクランプ
３０のフルストロークの略２／３だけ可動できるものとしたが、可動範囲は１／２〜２／３程度とすることができる。その理由は、中間スライダー２０が１／２以上、カードの底を受けるようにすれば、カードが重力で落下しないものとなる。反対に、２／３以上、カードを受けるようにすると、中間スライダー２０とボディブロック１０の保持が難しくなるからである。
【図面の簡単な説明】
【００３１】
【図１】本発明の一実施形態に係るコネクタの分解斜視図。
【図２】同コネクタの斜視図。
【図３】同コネクタのカバーシェルを透視したカード未挿入状態の斜視図。
【図４】同コネクタのカードクランプのみ引き出した（中間スライダーはそのまま）状態の斜視図。
【図５】図４においてカバーシェルを透視した斜視図。
【図６】図５の平面図。
【図７】図６のＡ部拡大図。
【図８】同コネクタを完全に引き出した（中間スライダーも引き出し）状態のカバーシェルを透視した斜視図。
【図９】同コネクタにカードを挿入する様子を示す斜視図。
【図１０】同コネクタにカードを挿入した状態のカバーシェルを透視した斜視図。
【図１１】同コネクタにカードを挿入してカードクランプを押し込んだ状態のカバーシェルを透視した斜視図。
【図１２】図１０の平面図。
【図１３】図１１の平面図。
【図１４】図１３の側面図。
【図１５】図１３の正面図。
【符号の説明】
【００３２】
１  コネクタ
１０  ボディブロック
１１  端子
１５  凹部（ストッパー）
１６  凸部（保持手段）
２０  中間スライダー
２１  案内溝
２２  端子逃がし部
２３  凸部（ストッパー）
３０  カードクランプ
３１  ストッパー用突起
３２  端子逃がし部
３３  倒れ防止爪
３４  逆挿入防止用面取り
３５  引き出し爪
３６  凹部
４０  小型カード
４１  カードの電極
４２  逆挿入防止用面取り
５０  カバーシェル
５１  弾性突起
５２  開口窓（保持手段）
５３  逃がし
【図１】
2006269376.tif 000003
【図２】
2006269376.tif 000004
【図３】
2006269376.tif 000005
【図４】
2006269376.tif 000006
【図５】
2006269376.tif 000007
【図６】
2006269376.tif 000008
【図７】
2006269376.tif 000009
【図８】
2006269376.tif 000010
【図９】
2006269376.tif 000011
【図１０】
2006269376.tif 000012
【図１１】
2006269376.tif 000013
【図１２】
2006269376.tif 000014
【図１３】
2006269376.tif 000015
【図１４】
2006269376.tif 000016
【図１５】
2006269376.tif 000017